(57)【特許請求の範囲】
【請求項１】
受信した電子番組ガイド情報に対応する画像を生成する生成手段と、
前記生成手段により生成された前記電子番組ガイドの画像を、伝送信号に含まれる番組の画像に重畳する重畳手段と
を備える画像表示制御装置において、
前記生成手段は、前記電子番組ガイドを前記番組の画像に、前記番組の画像が透けて見えるように重畳して表示するとき、前記番組を放送する時刻情報を含む前記電子番組ガイドを表示する領域を、他の前記電子番組ガイドを表示する領域と異なる色で表示させる  ことを特徴とする画像表示制御装置。
【請求項２】
受信した伝送信号に含まれる電子番組ガイド情報に対応する画像を生成する生成手段と、
前記生成手段により生成された前記電子番組ガイドの画像を、伝送信号に含まれる番組の画像に重畳する重畳手段と
を備える画像表示制御装置の画像表示制御方法において、
前記電子番組ガイドを前記番組の画像に、前記番組の画像が透けて見えるように重畳して表示するとき、前記番組を放送する時刻情報を含む前記電子番組ガイドを表示する領域を、他の前記電子番組ガイドを表示する領域と異なる色で表示させる
ことを特徴とする画像表示制御方法。
【請求項３】
受信した電子番組ガイド情報に対応する画像を生成する生成手段と、
前記生成手段により生成された前記電子番組ガイドの画像を、伝送信号に含まれる番組の画像に重畳する重畳手段とを備える画像表示制御装置において、
前記生成手段は、前記電子番組ガイドを前記番組の画像に、前記番組の画像が透けて見えるように重畳して表示するとき、前記番組を放送する時刻情報を含む前記電子番組ガイドを表示する領域の文字を、他の前記電子番組ガイドを表示する領域の文字と異なる色で表示させる
ことを特徴とする画像表示制御装置。
【請求項４】
受信した電子番組ガイド情報に対応する画像を生成する生成手段と、
前記生成手段により生成された前記電子番組ガイドの画像を、伝送信号に含まれる番組の画像に重畳する重畳手段とを備える画像表示制御装置の画像表示制御方法において、
前記電子番組ガイドを前記番組の画像に、前記番組の画像が透けて見えるように重畳して表示するとき、前記番組を放送する時刻情報を含む前記電子番組ガイドを表示する領域の文字を、他の前記電子番組ガイドを表示する領域の文字と異なる色で表示させる
ことを特徴とする画像表示制御方法。
【請求項５】
受信した電子番組ガイド情報に対応する画像を生成する生成手段と、
前記生成手段により生成された前記電子番組ガイドの画像を、伝送信号に含まれる番組の画像に重畳する重畳手段と
を備える画像表示制御装置において、
前記生成手段は、前記電子番組ガイドを前記番組の画像に、前記番組の画像が透けて見えるように重畳して表示させるとともに、前記電子番組ガイドが、前記番組を放送する時刻情報を含む複数行の電子番組ガイドであるとき、各行の前記電子番組ガイドを表示する隣接する領域の文字を、異なる色で表示させる
ことを特徴とする画像表示制御装置。
【請求項６】
受信した電子番組ガイド情報に対応する画像を生成する生成手段と、
前記生成手段により生成された前記電子番組ガイドの画像を、伝送信号に含まれる番組の画像に重畳する重畳手段と
を備える画像表示制御装置の画像表示制御方法において、
前記電子番組ガイドを前記番組の画像に、前記番組の画像が透けて見えるように重畳して表示させるとともに、前記電子番組ガイドが、前記番組を放送する時刻情報を含む複数行の電子番組ガイドであるとき、各行の前記電子番組ガイドを表示する隣接する領域の文字を、異なる色で表示させる
ことを特徴とする画像表示制御方法。
【発明の詳細な説明】
【０００１】
【発明の属する技術分野】
本発明は、画像表示制御装置および方法に関し、特に、電子番組ガイド情報から所望の番組を迅速かつ確実に選択することができるようにした画像表示制御装置および方法に関する。
【０００２】
【従来の技術】
最近、我国においても、衛星を介してテレビジョン放送を行うシステムが実現しつつある。このシステムにおいては、デジタル的にテレビジョン放送が行われるため、例えば１００チャンネルといったような極めて多くの放送チャンネルを確保することができる。
【０００３】
このように、多数の放送チャンネルが存在する場合、ユーザは、多数の放送チャンネルの中から所望の放送チャンネルを選択することが困難になる。そこで、電子番組ガイド情報（Electrical Program Guide（EPG））を番組の画像データとともに伝送し、受信側において、これを受信して、ディスプレイに表示させるようにし、このディスプレイに表示された電子番組ガイドを用いて所望の番組を選択することが提案されている。
【０００４】
ところで、この電子番組ガイドを番組の画像に重畳して表示する場合、番組の画像を全く見ることができないような状態にして表示するのではなく、番組の画像が背景画像として透けて見えるように表示することが考えられる。このようにすることで、そのとき視聴している番組の画像を確認しながら、他の番組を選択することが可能となる。
【０００５】
【発明が解決しようとする課題】
ところで、このように、電子番組ガイドを半透明にして、番組の画像が背景として透けて見えるように表示させるようにした場合、所望の番組を選択するための文字が、背景画像としての番組の画像と混在化するため、見誤るおそれがある。その結果、所望の番組を迅速かつ確実に選択することが困難になる課題があった。
【０００６】
本発明はこのような状況に鑑みてなされたものであり、迅速かつ確実に所望の番組を選択することができるようにするものである。
【０００７】
【課題を解決するための手段】
請求項１に記載の画像表示制御装置は、生成手段は、電子番組ガイドを番組の画像に、番組の画像が透けて見えるように重畳して表示するとき、番組を放送する時刻情報を含む電子番組ガイドを表示する領域を、他の電子番組ガイドを表示する領域と異なる色で表示させることを特徴とする。
【０００８】
請求項２に記載の画像表示制御方法は、電子番組ガイドを番組の画像に、番組の画像が透けて見えるように重畳して表示するとき、番組を放送する時刻情報を含む電子番組ガイドを表示する領域を、他の電子番組ガイドを表示する領域と異なる色で表示させることを特徴とする。
請求項３に記載の画像表示制御装置は、生成手段は、電子番組ガイドを番組の画像に、番組の画像が透けて見えるように重畳して表示するとき、番組を放送する時刻情報を含む電子番組ガイドを表示する領域の文字を、他の電子番組ガイドを表示する領域の文字と異なる色で表示させることを特徴とする。
請求項４に記載の画像表示制御方法は、電子番組ガイドを番組の画像に、番組の画像が透けて見えるように重畳して表示するとき、番組を放送する時刻情報を含む電子番組ガイドを表示する領域の文字を、他の電子番組ガイドを表示する領域の文字と異なる色で表示させることを特徴とする。
【０００９】
請求項５に記載の画像表示制御装置は、生成手段は、電子番組ガイドを番組の画像に、番組の画像が透けて見えるように重畳して表示させるとともに、電子番組ガイドが、番組を放送する時刻情報を含む複数行の電子番組ガイドであるとき、各行の電子番組ガイドを表示する隣接する領域の文字を、異なる色で表示させることを特徴とする。
【００１０】
請求項６に記載の画像表示制御方法は、電子番組ガイドを番組の画像に、番組の画像が透けて見えるように重畳して表示させるとともに、電子番組ガイドが、番組を放送する時刻情報を含む複数行の電子番組ガイドであるとき、各行の電子番組ガイドを表示する隣接する領域の文字を、異なる色で表示させることを特徴とする。
【００１１】
請求項１に記載の画像表示制御装置および請求項２に記載の画像表示制御方法においては、電子番組ガイドを番組の画像に、番組の画像が透けて見えるように重畳して表示するとき、番組を放送する時刻情報を含む電子番組ガイドを表示する領域が、他の電子番組ガイドを表示する領域と異なる色で表示される。
請求項３に記載の画像表示制御装置および請求項４に記載の画像表示制御方法においては、電子番組ガイドを番組の画像に、番組の画像が透けて見えるように重畳して表示するとき、番組を放送する時刻情報を含む電子番組ガイドを表示する領域の文字が、他の電子番組ガイドを表示する領域の文字と異なる色で表示される。
【００１２】
請求項５に記載の画像表示制御装置および請求項６に記載の画像表示制御方法においては、電子番組ガイドを番組の画像に、番組の画像が透けて見えるように重畳して表示させる場合、電子番組ガイドが、番組を放送する時刻情報を含む複数行の電子番組ガイドであるとき、各行の電子番組ガイドを表示する隣接する領域の文字が、異なる色で表示される。
【００１３】
【発明の実施の形態】
図１は、本発明を応用したＡＶ（Audio Video）システムの構成例を示している。この実施例の場合、ＡＶシステムは、図示せぬ送信装置より衛星（放送衛星または通信衛星）を介して伝送されてきた電波を、パラボラアンテナ１で受信した信号を復調するＩＲＤ（Integrated Receiver/Decoder）２と、テレビジョン受像機３により構成されている。
【００１４】
ＩＲＤ２（またはテレビジョン受像機３）に対しては、リモートコマンダ６により赤外線（ＩＲ：Infrared）信号により指令を入力することができるようになされている。即ち、リモートコマンダ６のスイッチの所定のものを操作すると、それに対応するＩＲ信号がそのＩＲ信号発信部７２（図４）から出射され、ＩＲＤ２のＩＲ信号受信部５４（図２）に入射されるようになされている。
【００１５】
ＩＲＤ２は、その出力を、例えば、コンポジットビデオ信号線、オーディオＬ信号線、オーディオＲ信号線の３本の線により構成されるＡＶライン４を介してテレビジョン受像機３に供給している。さらに、ＩＲＤ２はＡＶ機器制御信号送受信部２Ａを、テレビジョン受像機３はＡＶ機器制御信号送受信部３Ａを、それぞれ有している。これらは、ワイヤードＳＩＲＣＳ（Wired Sony Infrared Remote Control System）（商標）よりなるコントロールライン５により、相互に接続されている。
【００１６】
図２は、ＩＲＤ２の正面の構成例を表している。筐体５１の中央には蓋５２が開閉自在に設けられ、内部にＩＣカード３３を装着できるようになされている。ＩＲＤ２の左側には、電源キー５３が設けられている。この電源キー５３は、電源をオンまたはオフするとき操作される。電源キー５３の下方には、リモートコマンダ６からのＩＲ信号を受信するＩＲ信号受信部５４が設けれている。
【００１７】
ＬＥＤ５５は、衛星を介して、このＩＲＤ２に対して、所定のメッセージが伝送されてきたとき、点灯するようになされている。ユーザがこのメッセージをテレビジョン受像機３に出力し、表示させ、これを確認したとき、ＬＥＤ５５は消灯される。ＬＥＤ５５の下に配置されているＬＥＤ５６は、ＩＲＤ２が電話回線を介して通信中であるとき点灯する。
【００１８】
番組ガイドキー５７とメニューキー５８は、それぞれテレビジョン受像機３に電子番組ガイドまたはメニューを表示させるとき操作される。
【００１９】
決定キー６５の周囲の上下左右には、それぞれアップキー６１、ダウンキー６２、レフトキー６３およびライトキー６４が環状に配置されている。これらのアップキー６１、ダウンキー６２、レフトキー６３およびライトキー６４（以下、これらのキーを、適宜、方向キーとも称する）は、カーソルを上下左右方向に移動するとき操作される。また、決定キー６５は、選択を決定するとき（セレクトするとき）操作される。チャンネルアップキー５９とチャンネルダウンキー６０は、受信しているチャンネルをアップまたはダウンさせるとき操作される。
【００２０】
図３は、ＩＲＤ２の内部の構成例を示している。パラボラアンテナ１のＬＮＢ（Low Noise Block downconverter）１ａより出力されたＲＦ信号は、フロントエンド２０（受信手段）のチューナ２１に供給され、復調される。チューナ２１の出力は、ＱＰＳＫ復調回路２２に供給され、ＱＰＳＫ復調される。ＱＰＳＫ復調回路２２の出力は、エラー訂正回路２３に供給され、エラーが検出、訂正され、必要に応じて補正される。
【００２１】
ＣＰＵ、ＲＯＭおよびＲＡＭ等からなるＩＣカード３３には、暗号を解読するのに必要なキーが、解読プログラムとともに格納されている。衛星を介して送信される信号が暗号化されている場合、この暗号を解読するにはキーと解読処理が必要となる。そこで、カードリーダインタフェース３２を介してＩＣカード３３からこのキーが読み出され、デマルチプレクサ２４に供給される。デマルチプレクサ２４は、このキーを利用して、暗号化された信号を解読する。
【００２２】
尚、このＩＣカード３３には、暗号解読に必要なキーと解読プログラムの他、課金情報なども格納されている。
【００２３】
デマルチプレクサ２４は、フロントエンド２０のエラー訂正回路２３の出力する信号の入力を受け、これをデータバッファメモリ（ＤＲＡＭ（Dynamic Random Access Memory）またはＳＲＡＭ（Static Random Access Memory））３５に一旦記憶させる。そして、適宜これを読み出し、解読したビデオ信号をＭＰＥＧビデオデコーダ２５に供給し、解読したオーディオ信号をＭＰＥＧオーディオデコーダ２６に供給する。
【００２４】
ＭＰＥＧビデオデコーダ２５は、入力されたデジタルビデオ信号をＤＲＡＭ２５ａに適宜記憶させ、ＭＰＥＧ方式により圧縮されているビデオ信号のデコード処理を実行する。デコードされたビデオ信号は、ＮＴＳＣエンコーダ２７（重畳手段）に供給され、ＮＴＳＣ方式の輝度信号（Ｙ）、クロマ信号（Ｃ）、およびコンポジット信号（Ｖ）に変換される。輝度信号とクロマ信号は、バッファアンプ２８Ｙ，２８Ｃを介して、それぞれＳビデオ信号として出力される。また、コンポジット信号は、バッファアンプ２８ＶからＡＶライン４を介して出力される。
【００２５】
なお、このＭＰＥＧビデオデコーダ２５としては、SGS-Thomson Microelectronics社のＭＰＥＧ２復号化ＬＳＩ（ＳＴｉ３５００）を用いることができる。その概略は、例えば、日経ＢＰ社「日経エレクトロニクス」１９９４．３．１４（ｎｏ．６０３）第１０１頁乃至１１０頁に、Martin Bolton氏により紹介されている。
【００２６】
また、ＭＰＥＧ２−Transportstreamに関しては、アスキー株式会社１９９４年８月１日発行の「最新ＭＰＥＧ教科書」第２３１頁乃至２５３頁に説明がなされている。
【００２７】
ＭＰＥＧオーディオデコーダ２６は、デマルチプレクサ２４より供給されたデジタルオーディオ信号をＤＲＡＭ２６ａに適宜記憶させ、ＭＰＥＧ方式により圧縮されているオーディオ信号のデコード処理を実行する。デコードされたオーディオ信号は、Ｄ／Ａ変換器３０においてＤ／Ａ変換され、左チャンネルのオーディオ信号は、バッファアンプ３１ＬからＡＶライン４を介して出力され、右チャンネルのオーディオ信号は、バッファアンプ３１ＲからＡＶライン４を介して出力される。
【００２８】
ＲＦモジュレータ４１は、ＮＴＳＣエンコーダ２７が出力するコンポジット信号と、Ｄ／Ａ変換器３０が出力するオーディオ信号とをＲＦ信号に変換して出力する。また、このＲＦモジュレータ４１は、ＴＶモードが設定されたとき、ケーブルボックス等のＡＶ機器から入力されるＮＴＳＣ方式のＲＦ信号をスルーして、ＶＣＲや他のＡＶ機器（いずれも図示せず）にそのまま出力する。
【００２９】
この実施例の場合、これらのビデオ信号およびオーディオ信号が、ＡＶライン４を介してテレビジョン受像機３に供給されることになる。
【００３０】
ＣＰＵ（Central Processing Unit）２９は、ＲＯＭ３７に記憶されているプログラムに従って各種の処理を実行する。例えば、チューナ２１、ＱＰＳＫ復調回路２２、エラー訂正回路２３などを制御する。また、ＡＶ機器制御信号送受信部２Ａを制御し、コントロールライン５を介して、他のＡＶ機器（この実施例の場合、テレビジョン受像機３）に所定のコントロール信号を出力し、また、他のＡＶ機器からのコントロール信号を受信する。
【００３１】
このＣＰＵ２９に対しては、フロントパネル４０の各種のキー（図２）を操作して、所定の指令を直接入力することができる。また、リモートコマンダ６（図４）を操作すると、そのＩＲ信号発信部７２よりＩＲ信号が出射され、このＩＲ信号がＩＲ信号受信部３９により受光され、受光結果がＣＰＵ２９に供給される。従って、リモートコマンダ６を操作することによっても、ＣＰＵ２９に所定の指令を入力することができる。
【００３２】
また、デマルチプレクサ２４（抽出手段）は、フロントエンド２０から供給されるＭＰＥＧビデオデータとオーディオデータ以外にＥＰＧ（Electrical Program Guide）データなどを取り込み、データバッファメモリ３５のＥＰＧエリア３５Ａに供給し、記憶させる。ＥＰＧ情報は現在時刻から２４時間後（ＥＰＧ２とＥＰＧ１−２の場合）、または１５０時間後（ＥＰＧ２，ＥＰＧ３と、ＥＰＧ１−２，ＥＰＧ１−３の場合）までの各放送チャンネルの番組に関する情報（例えば、番組の静止画の他、チャンネル、放送時間、タイトル、カテゴリ等）を含んでいる。このＥＰＧ情報は、頻繁に伝送されてくるため、ＥＰＧエリア３５Ａには常に最新のＥＰＧを保持することができる。
【００３３】
ＥＥＰＲＯＭ（Electrically Erasable Programable Read Only Memory）３８には、電源オフ後も保持しておきたいデータ（例えばチューナ２１の４週間分の受信履歴、所定の操作が行われる直前に受信していたチャンネル番号（ラストチャンネル））などが適宜記憶される。そして、この記憶は、例えば、電源がオンされたとき、ラストチャンネルと同一のチャンネルを再び受信させるとき利用される。ラストチャンネルが記憶されていない場合においては、ＲＯＭ３７にデフォルトとして記憶されているチャンネルが受信される。
【００３４】
また、ＣＰＵ２９は、スリープモードが設定されている場合、電源オフ時であっても、フロントエンド２０、デマルチプレクサ２４、データバッファメモリ３５など、最低限の回路を動作状態とし、受信信号に含まれる時刻情報から現在時刻を計時し、所定の時刻に各回路に所定の動作をさせる制御なども実行する。例えば、外部のＶＣＲと連動して、タイマ自動録画を実行する。
【００３５】
さらに、ＣＰＵ２９は、所定のＯＳＤ（On-Screen Display）データを発生したいとき、ＭＰＥＧビデオデコーダ２５（生成手段）を制御する。ＭＰＥＧビデオデコーダ２５は、この制御に対応して所定のＯＳＤデータを生成して、ＤＲＡＭ２５ａのＯＳＤエリア２５に書き込み、さらに読み出して、出力する。これにより、所定の文字、図形、画像（例えば図５乃至図７において、通常の画面に重畳されている文字、シンボル、アイコン、スクリーン）などを適宜テレビジョン受像機３に出力し、表示させることができる。
【００３６】
ＳＲＡＭ３６はＣＰＵ２９のワークメモリとして使用される。モデム３４は、ＣＰＵ２９の制御の下に、電話回線を介してデータを授受する。
【００３７】
図４は、リモートコマンダ６の構成例を表している。その上部には、各種のキーの操作に対応するＩＲ信号発生するＩＲ信号発信部７２が設けられている。電源キー７３は、ＩＲＤ２の電源をオンまたはオフするとき操作され、テレビ電源キー７４は、テレビジョン受像機３の電源をオンまたはオフするとき操作される。消音キー７５は、音声信号をミュートするとき、またはミュートを解除するとき操作される。切換キー７６は、このリモートコマンダ６により、ＩＲＤ２を遠隔制御するとき操作され、切換キー７７は、このリモートコマンダ６により、テレビジョン受像機３を遠隔操作するとき操作される。
【００３８】
入力切換キー７８は、ＩＲＤ２またはテレビジョン受像機３に対する入力を切り換えるとき操作される。画面表示キー７９は、テレビジョン受像機３に所定の電子番組ガイドの文字などが表示される状態を切り換えるとき操作される。二重音声キー８０は、音声チャンネルとして複数のチャンネルが存在するとき、これを切り換えるとき操作される。
【００３９】
テンキー８１は、０乃至９の数字を入力するとき操作される。また、数字０のキーと「選局」のキーは、数字１０または１２を入力するとき操作され、両者の間に配置されているキーは、数字１１を入力するとき操作される。
【００４０】
メニューキー８２は、メニューを表示させるとき操作され、プロモーションキー（プロモキー）８３は、プロモーションチャンネルを表示させるとき操作される。番組説明キー８４は、電子番組ガイドのうちの番組説明情報を表示させるとき操作される。マルチキー８５は、電子番組ガイドとして、各放送チャンネルの縮小画面を１画面内に、例えば４×４個のマルチ画面として表示させるとき操作される。番組ガイドキー８６は、電子番組ガイドを表示させるとき操作される。ジャンプキー８７は、ラストチャンネルに移行するとき操作される。
【００４１】
アップキー８８、ダウンキー８９、レフトキー９０およびライトキー９１（これらのキーも、以下、適宜、方向キーとも称する）は、それぞれカーソルを上下左右方向に移動させるとき操作され、これらのキーの中央に配置されている決定キー９２は、選択の決定を入力するとき操作される。チャンネルアップダウンキー９４は、受信するチャンネルを１ずつインクリメントまたはデクリメントするとき操作される。このアップキー８８、ダウンキー８９、レフトキー９０、ライトキー９１、決定キー９２は、図２に示す、ＩＲＤ２の本体に設けられているアップキー６１、ダウンキー６２、レフトキー６３、ライトキー６４および決定キー６５と対応するものであり、その配置形状も対応するようになされている。また、チャンネルアップダウンキー９４は、図２のチャンネルアップキー５９およびチャンネルダウンキー６０に対応している。
【００４２】
音量アップダウンキー９３は、音量を一定量ずつ、増加または減少するとき操作される。
【００４３】
次に、その基本的な動作について説明する。ユーザが、リモートコマンダ６の例えばテンキー８１を操作して、所定のチャンネル番号を入力すると、その入力された番号に対応するＩＲ信号が、ＩＲ信号発信部７２から出力される。このＩＲ信号は、ＩＲＤ２のＩＲ信号受信部３９で受信される。ＣＰＵ２９は、ＩＲ信号受信部３９から、ＩＲ信号に対応する信号の供給を受けたとき、入力された番号に対応するチャンネルを受信するようチューナ２１を制御する。
【００４４】
チューナ２１は、ＬＮＢ１ａから供給される信号からＣＰＵ２９により指定されたチャンネル番号に対応する信号を復調し、ＱＰＳＫ復調回路２２に出力する。ＱＰＳＫ復調回路２２でＱＰＳＫ復調された信号は、さらにエラー訂正回路２３に入力され、エラー訂正処理が施された後、デマルチプレクサ２４に入力される。デマルチプレクサ２４においては、入力されたデータがビデオデータとオーディオデータとに分離され、ビデオデータはＭＰＥＧビデオデコーダ２５に、オーディオデータはＭＰＥＧオーディオデコーダ２６に、それぞれ供給される。ＭＰＥＧビデオデコーダ２５は、入力されたビデオデータを、ＭＰＥＧ方式でデコード処理した後、ＮＴＳＣエンコーダ２７に出力する。ＮＴＳＣエンコーダ２７は、入力されたビデオデータをＮＴＳＣ方式のビデオ信号に変換する。このビデオ信号は、例えばアンプ２８Ｖを介して、コンポジットビデオ信号として、ＡＶライン４を介してテレビジョン受像機３に供給される。
【００４５】
また、ＭＰＥＧオーディオデコーダ２６は、入力されたオーディオデータをＭＰＥＧ方式でデコードし、Ｄ／Ａ変換器３０に出力する。Ｄ／Ａ変換器３０は、入力されたオーディオデータをＤ／Ａ変換し、左右のアナログオーディオ信号として、アンプ３１Ｌ，３１Ｒを介して出力する。このオーディオ信号も、ＡＶライン４を介してテレビジョン受像機３に出力される。このようにして、テレビジョン受像機３に、ユーザがリモートコマンダ６を操作して指令した番組の画像と音声が出力される。
【００４６】
また、デマルチプレクサ２４は、受信した信号からＥＰＧデータを検出すると、これをデータバッファメモリ３５に供給し、そのＥＰＧエリア３５Ａを上に記憶させる。
【００４７】
リモートコマンダ６の所定のキーを操作して、このＥＰＧ情報の読み出しが指令されたとき、ＣＰＵ２９は、このＥＰＧエリア３５Ａに記憶されているＥＰＧデータを読み出し、ＭＰＥＧビデオデコーダ２５に、ＯＳＤデータに変換させる。このＯＳＤデータは、ＮＴＳＣエンコーダ２７に出力され、通常の番組の画像上に重畳され、出力される。
【００４８】
図５は、テレビジョン受像機３の表示例を示している。すなわち、リモートコマンダ６の番組説明キー８４を操作すると、この操作に対応するＩＲ信号がＩＲ信号発信部７２から出力される。このＩＲ信号は、ＩＲＤ２のＩＲ信号受信部３９で受信される。ＣＰＵ２９は、ＩＲ信号受信部３９より、この信号の入力を受けたとき、ＥＰＧエリア３５Ａに記憶されているＥＰＧデータの中から、直前に表示されていた番組表（図示せず）で指定された放送チャンネルの番組の詳細情報を読み出し、ＭＰＥＧビデオデコーダ２５に供給させる。ＭＰＥＧビデオデコーダ２５は、入力されたデータに対応するＯＳＤデータを生成し、ＮＴＳＣエンコーダ２７に出力する。ＮＴＳＣエンコーダ２７は、入力されたＯＳＤデータをＮＴＳＣ方式のビデオ信号に変換し、テレビジョン受像機３に出力し、表示させる。このようにして、図５に示すような画像が表示される。
【００４９】
図５に示す表示例においては、スクリーン１０１が半透明の状態で表示されている。すなわち、スクリーン１０１は、番組の画像が背景の画像として透けて見えるように表示される。そして、このスクリーン１０１の領域１０２には、その番組を放送しているチャンネルの番号「１５５」と番組のタイトル「衛星スター映画劇場」が、放送日時「１２月１５日（金）午後８：００−１０：２０」とともに表示されている。この領域１０２の上方の領域１０５には、この「衛星スター映画劇場」の番組において、放送される映画のタイトル「わが街」が表示され、領域１０２の下方の領域１０３には、この「わが街」の映画の監督、出演者、および、あらすじが表示されている。
【００５０】
また、スクリーン１０１の右側の領域１０４には、チャンネルの番号「１５５」と所定の指令を入力するとき操作されるボタンが表示されている。
【００５１】
また、このスクリーン１０１の各領域のうち、番組を選択するのに最も重要な情報である時刻情報が表示されている領域１０２の色は、それに隣接する領域１０３と領域１０５とは異なる色で表示される。従って、ユーザは、いま紹介されている番組を選択するとき最も大きな基準となる「いつ、その番組が放送されるのか」を迅速かつ確実に知ることができる。
【００５２】
図６は、リモートコマンダ６のプロモーションキー８３を操作した場合に表示される表示例を表している。この表示例においては、スクリーン１０１が半透明とされ、番組の画像が背景に透かして見える状態で表示されている。そして、このスクリーン１０１の最上行の領域１１１−１には、プロモーションチャンネル１１１でいまプロモーション画像として提供しているチャンネルの番号「１２５」とそのタイトル「衛星映画スター劇場」が表示され、次の領域１１１−２乃至１１１−１１には、この番組「衛星映画スター劇場」において放送される映画のタイトルと日時が表示されている。
【００５３】
このように、放送日時とタイトルといった同種の情報が多数の行にわたって表示されているとき、放送日時とタイトルとを異なった行にまたがって、誤って読み取ってしまうようなおそれがある。そこで、この表示例においては、隣接する各領域の色が異なる色で表示されている。すなわち、この表示例においては、１行おきに同一の色彩が施されている。その結果、所定の行をユーザが目で追っているとき、ユーザは、常に同一の色の行を追跡するように注意すれば、文字を読み取っている最中に、誤って隣の行に読み取り位置が移動してしまうようなことが抑制される。
【００５４】
例えば、領域１１１−５をユーザが読み取っているとき、文字を右方向または左方向に読み進むうちに、上方に隣接する領域１１１−４、または下方に隣接する領域１１１−６に、読み取り位置が移動してしまった場合、領域１１１−５とは異なる色が、そこには付されている。従って、ユーザは、比較的簡単に、読み進んで行くうちに行が移動してしまったことを、容易に認識することができる。さらに、２行上方または下方に移動した場合においては、その領域の色は、注目している行と同一となるが、実用的には、読み誤る行がそこまで移動してしまうようなことは稀である。従って、１行おきに各領域の色を同一の色に設定しておくと、読み誤りを充分抑制することができる。従って、迅速かつ確実に所望の番組の情報を得ることができる。
【００５５】
なお、上記実施例においては、領域自体の色を他の領域と異なるようにしたが、その領域の文字を他の領域の文字と異なる色にするようにしてもよいことは勿論である。
【００５６】
【発明の効果】
以上の如く、請求項１に記載の画像表示制御装置および請求項２に記載の画像表示制御方法によれば、番組を放送する時刻情報を含む電子番組ガイドを表示する領域を、他の電子番組ガイドを表示する領域と異なる色で表示させるようにした。
また、請求項３に記載の画像表示制御装置および請求項４に記載の画像表示制御方法によれば、番組を放送する時刻情報を含む電子番組ガイドを表示する領域の文字を、他の電子番組ガイドを表示する領域の文字と異なる色で表示させるようにした。
結果として、いずれにおいても、番組を選択する場合において最も重要な時刻情報を含む電子番組ガイドを、迅速かつ確実に把握することが可能となる。
【００５７】
請求項５に記載の画像表示制御装置および請求項６に記載の画像表示制御方法によれば、番組を放送する時刻情報を含む複数行の電子番組ガイドを表示する隣接する領域の文字を、異なる色で表示するようにしたので、番組を選択する最も基礎となる時刻情報を読み誤るおそれが少なくなり、迅速かつ確実に所望の番組を選択することが可能となる。
【図面の簡単な説明】
【図１】本発明が適用されるＡＶシステムの構成例を示すブロック図である。
【図２】図１のＩＲＤ２の正面の構成例を示す図である。
【図３】図１のＩＲＤ２の内部の構成例を示すブロック図である。
【図４】図１のリモートコマンダ６の構成例を示す図である。
【図５】図１のテレビジョン受像機３における表示例を示す図である。
【図６】図１のテレビジョン受像機３における他の表示例を示す図である。
【符号の説明】
１  パラボラアンテナ，  ２  ＩＲＤ，  ３  テレビジョン受像機，  ６  リモートコマンダ，  ２１  チューナ，  ２３  エラー訂正回路，  ２４  デマルチプレクサ，  ２５  ＭＰＥＧビデオデコーダ，  ２５ａ  ＤＲＡＭ，  ２６  ＭＰＥＧオーディオデコーダ，  ２６ａ  ＤＲＡＭ，  ２９  ＣＰＵ，  ３５  データバッファメモリ，  ３５Ａ  ＥＰＧエリア，  ３６  ＳＲＡＭ，  ３７  ＲＯＭ，  ３８  ＥＥＰＲＯＭ，  ３９  ＩＲ信号受信部
【図１】
0003646296.tif 000002
【図２】
0003646296.tif 000003
【図３】
0003646296.tif 000004
【図４】
0003646296.tif 000005
【図５】
0003646296.tif 000006
【図６】
0003646296.tif 000007